(57)【特許請求の範囲】
【請求項１】
プラテンガラスに載置された原稿を読み取って画像データを取得する原稿読み取り装置であって、
前記プラテンガラスの原稿載置面を開閉するプラテンカバーと、
前記プラテンカバーの開閉を検出する開閉検出センサーと、
前記プラテンガラスへの原稿の載置を検出する原稿載置検出センサーと、
前記プラテンカバーが閉じられるカバークローズ時に前記プラテンガラスに載置された原稿の原稿サイズを検出する原稿サイズ検出センサーと、
前記プラテンガラスに原稿が載置された状態で、前記開閉検出センサーによって前記プラテンカバーの開閉を検出すると、前記原稿サイズ検出センサーによって検出された原稿サイズと前記プラテンカバーが開けられるカバーオープン前の原稿サイズとが一致するか否かを判断し、両者が一致すると位置不変更を報知する位置変更判定部とを具備することを特徴とする原稿読み取り装置。
【請求項２】
前記位置変更判定部は、前記原稿サイズ検出センサーによって検出された原稿サイズと前記カバーオープン前の原稿サイズとが不一致であると位置変更を報知することを特徴とする請求項１記載の原稿読み取り装置。
【請求項３】
位置不変更の報知と位置変更の報知とで異なる報知音を出力する音声出力部を具備する請求項２記載の原稿読み取り装置。
【請求項４】
前記位置変更判定部は、前記プラテンガラスに原稿が載置された状態での、前記プラテンカバーの開閉に要した時間を計測し、当該計測時間が予め設定された閾値未満である場合に、前記原稿サイズ検出センサーによって検出された原稿サイズと前記カバーオープン前の原稿サイズとが一致すると位置不変更を報知することを特徴とする請求項１乃至３のいずれかに記載の原稿読み取り装置。
【請求項５】
前記位置変更判定部は、前記プラテンガラスに原稿が載置された状態での、前記プラテンカバーの開閉に要した時間を計測し、当該計測時間が予め設定された閾値未満でない場合に、前記原稿サイズ検出センサーによって検出された原稿サイズと前記カバーオープン前の原稿サイズとが一致するか否かを判断することなく、前記原稿サイズ検出センサーによって検出された原稿サイズを前記カバーオープン前の原稿サイズとすることを特徴とする請求項１乃至４のいずれかに記載の原稿読み取り装置。
【発明の詳細な説明】
【技術分野】
【０００１】
本発明は、プラテンガラスに載置された原稿を読み取る原稿読み取り装置に関する。
【背景技術】
【０００２】
一般的な原稿読み取り装置には、プラテンガラスを覆うプラテンカバーが設けられているため、原稿読み取り時にプラテンガラスに載置された原稿を目視することができない。そこで、プラテンガラスに載置した原稿がプラテンカバーを閉じる時の空気流でずれが発生した場合、ユーザーに通知する技術が提案されている（例えば、特許文献１参照）。特許文献１では、原稿サイズをプラテンカバーが開放の状態にあるときと、完全に閉止した状態のときとの二度検出を行い、二度検出した原稿サイズが異なっている場合は、原稿ズレがあると判断して原稿の再セットを促す通知を行うようにしている。
【先行技術文献】
【特許文献】
【０００３】
【特許文献１】特開昭６１−５２４５号公報
【発明の概要】
【発明が解決しようとする課題】
【０００４】
しかしながら、プラテンカバーを閉じた際に原稿が空気流によってずれることはほぼなく、どちらかといえばプラテンカバーを開けた際に生じる空気流によって原稿がずれることが多い。例えば、スキャンに失敗した場合（ミスコピー等）や、スタートボタンを操作する前に原稿の載置位置に不安を覚えた場合において、プラテンカバーを開けて原稿の載置位置を確認する際に原稿がずれてしまうことがある。この場合、ユーザーは、ずれた原稿の載置位置を修正することになるため、再び確認前の載置位置に原稿を配置させてしまい、同じミスが繰り返されてしまうという問題点があった。
【０００５】
本発明は、このような状況に鑑みてなされたものであり、上述の課題を解消し、プラテンカバーを開けての原稿の載置位置の確認に際し、再び確認前の載置位置に原稿を配置することによる、ミスの繰り返しを防止することができる原稿読み取り装置を提供することにある。
【課題を解決するための手段】
【０００６】
本発明の原稿読み取り装置は、プラテンガラスに載置された原稿を読み取って画像データを取得する原稿読み取り装置であって、であって、前記プラテンガラスの原稿載置面を開閉するプラテンカバーと、前記プラテンカバーの開閉を検出する開閉検出センサーと、前記プラテンガラスへの原稿の載置を検出する原稿載置検出センサーと、前記プラテンカバーが閉じられるカバークローズ時に前記プラテンガラスに載置された原稿の原稿サイズを検出する原稿サイズ検出センサーと、前記プラテンガラスに原稿が載置された状態で、前記開閉検出センサーによって前記プラテンカバーの開閉を検出すると、前記原稿サイズ検出センサーによって検出された原稿サイズと前記プラテンカバーが開けられるカバーオープン前の原稿サイズとが一致するか否かを判断し、両者が一致すると位置不変更を報知する位置変更判定部とを具備することを特徴とする。
さらに、本発明の原稿読み取り装置において、前記位置変更判定部は、前記原稿サイズ検出センサーによって検出された原稿サイズと前記カバーオープン前の原稿サイズとが不一致であると位置変更を報知しても良い。
さらに、本発明の原稿読み取り装置は、位置不変更の報知と位置変更の報知とで異なる報知音を出力する音声出力部を具備しても良い。
さらに、本発明の原稿読み取り装置において、前記位置変更判定部は、前記プラテンガラスに原稿が載置された状態での、前記プラテンカバーの開閉に要した時間を計測し、当該計測時間が予め設定された閾値未満である場合に、前記原稿サイズ検出センサーによって検出された原稿サイズと前記カバーオープン前の原稿サイズとが一致すると位置不変更を報知しても良い。
さらに、本発明の原稿読み取り装置において、前記位置変更判定部は、前記プラテンガラスに原稿が載置された状態での、前記プラテンカバーの開閉に要した時間を計測し、当該計測時間が予め設定された閾値未満でない場合に、前記原稿サイズ検出センサーによって検出された原稿サイズと前記カバーオープン前の原稿サイズとが一致するか否かを判断することなく、前記原稿サイズ検出センサーによって検出された原稿サイズを前記カバーオープン前の原稿サイズとしても良い。
【発明の効果】
【０００７】
本発明によれば、プラテンカバーを開けての原稿の載置位置の確認に際し、再び確認前の載置位置に原稿を配置することによる、ミスの繰り返しを防止することができるという効果を奏する。
【図面の簡単な説明】
【０００８】
【図１】本発明に係る原稿読み取り装置を備えた原稿形成装置の実施の形態の構成を示す外観斜視図である。
【図２】図１に示す画像形成装置の内部構成を示す断面模式図である。
【図３】図１に示す画像形成装置の概略構成を示すブロック図である。
【図４】図３に示す位置変更報知部による位置変更報知動作を説明するフローチャートである。
【発明を実施するための形態】
【０００９】
次に、本発明の実施の形態を、図面を参照して具体的に説明する。
本実施の形態の原稿読み取り装置は、図１及び図２を参照すると、複写機等の画像形成装置１に備えられた、原稿読取部２と、原稿給送部３とからなる。画像形成装置１は、他に本体部４と、操作部５とを備えている。原稿読取部２は、本体部４の上部に配設され、原稿給送部３は、原稿読取部２の上部に配設されている。操作部５は、画像形成装置１の手前側に配設されている。また、原稿給送部３と原稿読取部２とは、画像形成装置１の奥側でヒンジ機構３５によって接続されており、原稿給送部３を手前側から上方に開くことで、原稿読取部２上面のプラテンガラス２２を開放可能な構成になっている。なお、本件の画像形成装置１は、ファクシミリ装置や複合機であっても良い。
【００１０】
画像形成装置１の手前側には、画像形成装置１の設定や動作指示を行う操作部５が配設されている。操作部５は、液晶表示部５１、操作ボタン５２が設けられている。ユーザーは操作部５を操作して指示を入力することで、画像形成装置１の各種の設定を行い、画像形成等の各種機能を実行させる。液晶表示部５１は、画像形成装置１の状態を示したり、画像形成状況や印刷部数を表示したり、タッチパネルとして、両面印刷や白黒反転等の機能や倍率設定、濃度設定など各種設定を行えるようになっている。操作ボタン５２としては、画像形成を開始するようにユーザーが指示するスタートボタン、画像形成を中止する際等に使用するストップ／クリアボタン、画像形成装置１の各種設定をデフォルト状態にする際に使用するリセットボタン、テンキー等が設けられている。
【００１１】
原稿読取部２は、図３を参照すると、スキャナー２１と、プラテンガラス２２と、原稿読取スリット２３と、原稿サイズ検出センサー２４と、原稿載置検出センサー２５とを備えている。スキャナー２１は、ＬＥＤ（Light Emitting Diode）を用いた光源２１ａと、ＣＣＤ（Charge Coupled Device）ラインセンサーやＣＭＯＳ（Complementary Metal Oxide Semiconductor）ラインセンサー等からなる受光部２１ｂとを備えており、原稿給送部３による原稿の搬送方向に移動可能に構成されている。プラテンガラス２２は、ガラス等の矩形状の透明部材により構成され、原稿読取部２の上面に配置された原稿台である。原稿読取スリット２３は、原稿給送部３による原稿の搬送方向と直交する方向に形成されたスリットである。原稿サイズ検出センサー２４は、プラテンガラス２２の下方に配置された、プラテンガラス２２に向かって光を照射する光源２４ａと、原稿面からの反射光を受光する受光部２４ｂとを備えた反射型光センサーである。原稿サイズ検出センサー２４は、配置された箇所において原稿の有無を検出するものであり、図１に示すように、各種原稿サイズに対応しうるように複数配置されている。原稿載置検出センサー２５は、プラテンガラス２２の下方に配置された、プラテンガラス２２に向かって光を照射する光源２５ａと、原稿面からの反射光を受光する受光部２５ｂとを備えた反射型光センサーである。原稿載置検出センサー２５は、配置された箇所において原稿の有無を検出するものであり、図１に示すように、最小サイズの原稿がプラテンガラス２２に載置されても検出できるように配置されている。
【００１２】
原稿給送部３は、原稿載置部３１と、原稿搬送機構３２と、原稿排出部３３とを備えている。原稿載置部３１に載置された原稿は、原稿搬送機構３２によって、１枚ずつ順に繰り出されて原稿読取スリット２３に対向する位置へ搬送され、その後、原稿排出部３３に排出される。
【００１３】
原稿給送部３は、プラテンガラス２２の原稿載置面である上面を開閉するプラテンカバーとして機能し、原稿給送部３を上方に開くことで、プラテンガラス２２上面が開放され、プラテンガラス２２に原稿をセットできる状態となる。また、原稿給送部３におけるプラテンガラス２２との対向面は、白色の原稿押さえ面３４となっている。
【００１４】
図１を参照すると、原稿読取部２には、開閉検出センサー２６が原稿給送部３（プラテンカバー）の開閉を検出する開閉検出手段として設けられている。開閉検出センサー２６は、原稿給送部３（プラテンカバー）の開成が予め設定された閾角度を上回ったことを検出するマイクロスイッチであり、原稿給送部３（プラテンカバー）の開成角度が閾角度以下でオンされ、原稿給送部３（プラテンカバー）の開成角度が閾角度を上回るとオフされる。なお、開閉検出センサー２６がオン／オフされる閾角度は、以下のように設定されている。閾角度で原稿給送部３（プラテンカバー）が開成された状態では、原稿サイズ検出センサー２４の光源２４ａから照射され、原稿給送部３（プラテンカバー）の原稿押さえ面３４で反射された光が、原稿サイズ検出センサー２４の受光部２４ｂに結像されないように、閾角度が設定されている。
【００１５】
原稿載置部３１に原稿が載置されていない状態や、原稿給送部３（プラテンカバー）が開いた開状態で、操作部５の操作ボタン５２によって原稿の読み取りが指示されると、プラテンガラス２２に載置された原稿が読み取られる。プラテンガラス２２に載置された原稿を読み取る場合には、スキャナー２１は、プラテンガラス２２に対向する位置に移動され、プラテンガラス２２に載置された原稿を主走査方向と直交する副走査方向に走査しながら読み取って画像データを取得し、取得した画像データを本体部４に出力する。
【００１６】
原稿載置部３１に原稿が載置された状態で、操作部５の操作ボタン５２によって原稿の読み取りが指示されると、原稿給送部３により搬送された原稿が読み取られる。原稿給送部３により搬送された原稿を読み取る場合には、スキャナー２１は、原稿読取スリット２３と対向する位置に移動され、原稿読取スリット２３を介し、原稿給送部３による原稿の搬送動作と同期して原稿を読み取って画像データを取得し、取得した画像データを本体部４に出力する。
【００１７】
本体部４は、記録部６を備えると共に、給紙部４１と、給紙ローラー４２と、用紙搬送路４３と、搬送ローラー４４と、排出ローラー４５とを備えている。給紙部４１は、複数枚の記録紙Ｐが収納される給紙カセットであり、給紙ローラー４２は、給紙部４１から記録紙Ｐを１枚ずつ用紙搬送路４３に繰り出す。給紙ローラー４２によって用紙搬送路４３に繰り出された記録紙Ｐは、搬送ローラー４４によって記録部６に搬送される。そして、記録部６によって記録が施された記録紙Ｐは、排出ローラー４５によって、原稿読取部２と本体部４との間に形成された排出空間４６に排出される。このように、給紙ローラー４２、搬送ローラー４４及び排出ローラー４５は、記録紙Ｐの搬送部４０として機能する。
【００１８】
記録部６は、感光体ドラム６１と、帯電部６２と、露光部６３と、現像部６４と、転写部６５と、定着部６６と、クリーニング部６７とを備えている。露光部６３は、レーザー装置やミラー等を備えた光学ユニットであり、帯電部６２によって一様に帯電された感光体ドラム６１に対し、画像データに基づくレーザー光を出力して露光し、感光体ドラム６１の表面に静電潜像を形成する。現像部６４は、トナーを用いて感光体ドラム６１に形成された静電潜像を現像する現像ユニットであり、静電潜像に基づいたトナー像を感光体ドラム６１上に形成させる。転写部６５は、現像部６４によって感光体ドラム６１上に形成されたトナー像を記録紙Ｐに転写させる。定着部６６は、転写部６５によってトナー像が転写された記録紙を加熱してトナー像を記録紙に定着させる。そして感光体ドラム６１上に残存するトナーは、クリーニング部６７によって除去される。
【００１９】
図５には、画像形成装置１の概略構成を示すブロック図が示されている。上述の原稿読取部２、原稿給送部３、搬送部４０（給紙ローラー４２、搬送ローラー４４、排出ローラー４５）、操作部５及び記録部６は、制御部７に接続され、制御部７によって動作制御される。また、制御部７には、画像処理部８と、記憶部９とが接続されている。
【００２０】
制御部７は、ＣＰＵ（Central Processing Unit）、ＲＯＭ（Read Only Memory）、ＲＡＭ（Random Access Memory）等を備えたマイクロコンピューター等の情報処理部である。ＲＯＭには画像形成装置１の動作制御を行うための制御プログラムが記憶されている。制御部７は、ＲＯＭに記憶されている制御プログラムを読み出し、制御プログラムをＲＡＭに展開させることで、操作部５から入力された所定の指示情報に応じて装置全体の制御を行う。また、制御部７は、開閉検出センサー２６がオフからオンされるタイミングでの原稿サイズ検出センサー２４の検出結果に基づいて原稿の原稿サイズを判定する原稿サイズ判定部７１として機能する。また、制御部７は、原稿サイズの判定結果に基づいて、原稿の位置が変更されたか否かを判定する位置変更判定部７２として機能する。
【００２１】
画像処理部８は、画像データに対して所定の画像処理を行う手段であり、例えば、拡大縮小処理や、階調調整、濃度調整等の画像改善処理が行われる。
【００２２】
記憶部９は、半導体メモリやＨＤＤ（Hard Disk Drive）等の記憶手段であり、原稿読取部２によって原稿を読み取ることで取得された画像データ等が記憶される。
【００２３】
次に、位置変更報知部７２による位置変更報知動作について図４を参照して詳細に説明する。
制御部７は、プラテンカバーである原稿給送部３のカバーオープン、すなわち開閉検出センサー２６のオンからオフへの切り替わりを監視している（ステップＳ１）。そして、ステップＳ１でカバーオープンを検出すると、制御部７は、制御部７は、原稿載置検出センサー２５のオン、すなわち原稿載置検出センサー２５による原稿載置の検出と（ステップＳ２）、プラテンカバーである原稿給送部３のカバークローズ、すなわち開閉検出センサー２６のオフからオンへの切り替わりを監視する（ステップＳ３）。
【００２４】
ステップＳ２で原稿載置検出センサー２５のオンが検出されない状態で、ステップＳ３でカバークローズを検出すると、制御部７は、ステップＳ１に戻ってカバーオープンを監視する。
【００２５】
ステップＳ２で原稿載置が検出されると、制御部７は、カバークローズを監視する（ステップＳ４）。ステップＳ２で原稿載置が検出された状態で、ステップＳ４でカバークローズを検出すると、制御部７は、原稿サイズ判定部７１として機能し、原稿サイズ検出センサー２４の検出結果に基づいて、プラテンガラス２２に載置された原稿の原稿サイズを判定する（ステップＳ５）。次に、制御部７は、スタートボタンの操作、すなわち操作部５の操作ボタン５２による原稿の読み取り指示を監視すると共に（ステップＳ６）、カバーオープンを監視する。（ステップＳ７）。
【００２６】
ステップＳ６でスタートボタンが操作されると、制御部７は、原稿読取部２によってプラテンガラス２２に載置された原稿のスキャンを実行させ（ステップＳ８）、ステップＳ６に戻る。スキャンの実行によって取得された画像データは、設定されているモードに応じて、記録紙Ｐへの印刷、図示しないネットワークを経由した送信、記憶部９への記憶等が処理が行われる。
【００２７】
ステップＳ７でカバーオープンを検出すると、制御部７は、時間計測を開始し（ステップＳ９）、カバークローズを監視すると共に（ステップＳ１０）、原稿載置検出センサー２５のオフ、すなわち原稿載置検出センサー２５による原稿載置の非検出を監視する（ステップＳ１１）。
【００２８】
ステップＳ１０でカバークローズを検出することなく、ステップＳ１１で原稿載置検出センサー２５のオフを検出すると、プラテンガラス２２に載置された原稿がユーザーによって取り除かれたものと判断して、制御部７は、時間計測を終了し（ステップＳ１２）、これらの処理を一旦終了する。制御部７は、次の原稿の載置を待機することになる。
【００２９】
ステップＳ１１で原稿載置検出センサー２５のオフを検出することなく、ステップＳ１０でカバークローズを検出すると、制御部７は、時間計測を終了し（ステップＳ１３）、ステップＳ７のカバーオープンからステップＳ１０のカバークローズまでの計測時間が予め設定された閾値ｔｈ未満か否かを判断する（ステップＳ１４）。
【００３０】
ステップＳ１１で原稿載置検出センサー２５のオフを検出することなく、ステップＳ１０でカバークローズを検出する場合は、ユーザーによる原稿の載置位置の確認作業が行われたことを意味し、ユーザーによる原稿位置の修正が行われた可能性が高い。すなわち、ステップＳ８で実行したスキャンに失敗した場合（ミスコピー等）や、ステップＳ６でスタートボタンを操作する前に、原稿の載置位置に不安を覚えた場合に、ユーザーはステップＳ７でプラテンカバーである原稿給送部３を開いて原稿の載置位置を確認する。
【００３１】
そこで、ステップＳ１４では、原稿の載置位置をユーザーがじっくりと確認したか否かを判断する。ステップＳ１４で計測時間が閾値ｔｈ未満である場合、プラテンカバーである原稿給送部３が開かれていた時間が短く、ユーザーが原稿位置を確認する十分な時間が確保されなかったことを意味する。加えて、ステップＳ７のカバーオープン時の空気流で原稿がずれてしまうこともある。この場合、ユーザーはカバーオープン時にずれてしまった原稿を見て、原稿の載置位置を確認前の状態に戻してしまうことが考えられる。従って、ステップＳ１４で計測時間が閾値ｔｈ未満である場合には、制御部７は、位置変更判定部７２として機能し、原稿サイズ検出センサー２４の検出結果に基づいて、プラテンガラス２２に載置された原稿の原稿サイズを判定して（ステップＳ１５）、ステップＳ５での原稿サイズの判定結果と一致しているか否かを判断する（ステップＳ１６）。そして、ステップＳ１６で、ステップＳ５での原稿サイズの判定結果とステップＳ１５での原稿サイズの判定結果とが一致している場合、位置変更判定部７２は、原稿の載置位置が変更されていないことを通知する位置不変更のメッセージを操作部５の液晶表示部５１に表示させ、位置不変更をユーザーに報知し（ステップＳ１７）、ステップＳ６に戻って、スタートボタンの操作を監視する。なお、図３に示すブザー等の音声出力部１０によって位置不変更を示す報知音を出力させ、位置不変更をユーザーに報知するようにしても良い。さらに、位置不変更の表示は、所定時間表示したら自動的に表示を終わるようになっている。これにより、ユーザーは、ステップＳ７のカバーオープン時にずれた原稿の載置位置を修正しているにも関わらず、確認する前の載置位置から変更されていないことを把握することができ、ミスコピー等を繰り返してしまうことを防止することができる。
【００３２】
一方、ステップＳ１６で、ステップＳ５での原稿サイズの判定結果とステップＳ１５での原稿サイズの判定結果とが一致していない場合、位置変更判定部７２は、原稿の載置位置が変更されたことを通知する位置変更のメッセージを操作部５の液晶表示部５１に表示させ、位置変更をユーザーに報知し（ステップＳ１８）、ステップＳ６に戻って、スタートボタンの操作を監視する。なお、図３に示すブザー等の音声出力部１０によって位置変更を示す報知音を出力させ、位置変更をユーザーに報知するようにしても良い。また、位置変更と位置不変更とを音で報知する場合には、両者で異なる報知音を出力させ、報知音を聞くだけで位置変更と位置不変更とを区別可能に構成すると好適である。
【００３３】
ステップＳ１４で計測時間が閾値ｔｈ未満でない場合、プラテンカバーである原稿給送部３が開かれていた時間が長く、ユーザーが原稿位置を確認する時間が十分に確保されたことを意味する。従って、ステップＳ７のカバーオープン時の空気流で原稿がずれてしまったとしても、原稿の載置位置を修正する十分な時間がある。そこで、ステップＳ１４で計測時間が閾値ｔｈ未満でない場合には、制御部７は、ステップＳ５に戻って、プラテンガラス２２に載置された原稿の原稿サイズを判定する。
【００３４】
以上説明したように本実施の形態は、プラテンガラス２２に載置された原稿をスキャンしてが画像データを読み取る原稿読み取り装置であって、プラテンガラス２２の原稿載置面である上面をプラテンカバーとして開閉する原稿給送部３と、原稿給送部３の開閉を検出する開閉検出センサー２６と、プラテンガラス２２への原稿の載置を検出する原稿載置検出センサー２５と、原稿給送部３が閉じられるカバークローズ時にプラテンガラス２２に載置された原稿の原稿サイズを検出する原稿サイズ検出センサー２４と、プラテンガラス２２に原稿が載置された状態で、開閉検出センサー２６によって原稿給送部３の開閉を検出すると、原稿サイズ検出センサー２４によって検出された原稿サイズとカバーオープン前の原稿サイズとが一致するか否かを判断し、両者が一致すると位置不変更を報知する位置変更判定部７２とを備えている。
この構成により、原稿給送部３を開けて原稿の載置位置を確認する際に、ユーザーが修正した載置位置をカバーオープン前の載置位置を基準にして判定することができる。従って、カバーオープン時に原稿の載置位置がずれてしまっても、再び確認前の載置位置に原稿を配置することによる、ミスの繰り返しを防止することができる。
【００３５】
さらに、本実施の形態において、位置変更判定部７２は、原稿サイズ検出センサー２４によって検出された原稿サイズとカバーオープン前の原稿サイズとが不一致であると位置変更を報知する。
この構成により、ユーザーは、修正した載置位置がカバーオープン前の載置位置から変更されたことを確認することができる。
【００３６】
さらに、本実施の形態において、位置不変更の報知と位置変更の報知とで異なる報知音を出力する音声出力部１０を備えている。
この構成により、報知音を聞くだけで位置変更と位置不変更とを区別することができる。
【００３７】
さらに、本実施の形態において、位置変更判定部７２は、プラテンガラス２２に原稿が載置された状態での、原稿給送部３の開閉に要した時間を計測し、当該計測時間が予め設定された閾値ｔｈ未満である場合に、原稿サイズ検出センサー２４によって検出された原稿サイズとカバーオープン前の原稿サイズとが一致すると位置不変更を報知する。
この構成により、ユーザーが原稿位置を確認する十分な時間が確保されなかった場合に、ユーザーに対して原稿の載置位置に関する注意喚起を行うことができる。
【００３８】
さらに、本実施の形態において、位置変更判定部７２は、プラテンガラス２２に原稿が載置された状態での、原稿給送部３の開閉に要した時間を計測し、当該計測時間が予め設定された閾値未満でない場合に、原稿サイズ検出センサー２４によって検出された原稿サイズとカバーオープン前の原稿サイズとが一致するか否かを判断することなく、原稿サイズ検出センサー２４によって検出された原稿サイズをカバーオープン前の原稿サイズとする。
この構成により、原稿の載置位置を修正する十分な時間があった場合に、ユーザーに対して余計な報知が行われないため、利便性が向上される。
【００３９】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００４０】
１  画像形成装置
２  原稿読取部
３  原稿給送部
４  本体部
５  操作部
６  記録部
７  制御部
８  画像処理部
９  記憶部
１０  音声出力部
２１  スキャナー
２１ａ  光源
２１ｂ  受光部
２２  プラテンガラス
２３  原稿読取スリット
２４  原稿サイズ検出センサー
２５  原稿載置検出センサー
２６  開閉検出センサー
３１  原稿載置部
３２  原稿搬送機構
３３  原稿排出部
３４  原稿押さえ面
３５  ヒンジ機構
４１  給紙部
４２  給紙ローラー
４３  用紙搬送路
４４  搬送ローラー
４５  排出ローラー
４６  排出空間
５１  液晶表示部
５２  操作ボタン
６１  感光体ドラム
６２  帯電部
６３  露光部
６４  現像部
６５  転写部
６６  定着部
６７  クリーニング部
７１  原稿サイズ判定部
７２  位置変更判定部
【図１】
0006468224.tif 000002
【図２】
0006468224.tif 000003
【図３】
0006468224.tif 000004
【図４】
0006468224.tif 000005